(57)【特許請求の範囲】
【請求項１】
情報処理装置であって、
操作画面を表示するための表示手段と、
前記操作画面を確認しながら前記情報処理装置を遠隔操作する遠隔操作装置とネットワークを介して通信するための通信手段と、
前記通信手段により前記遠隔操作装置との通信が確立されたことに応答して、前記表示手段に表示されている操作画面を前記遠隔操作装置に送信するための送信手段と、
前記遠隔操作装置との通信をローカルなユーザの操作により実行される処理に応じて切断するために、当該遠隔操作装置との通信を切断するタイミングを示す切断条件を設定するための設定手段と、
前記遠隔操作装置との通信が確立された状態において、前記設定手段により設定された切断条件が満たされたか否かを判定するための判定手段と、
前記判定手段の判定結果が肯定であることに応答して、前記遠隔操作装置との通信を切断するための切断手段とを含む、情報処理装置。
【請求項２】
前記情報処理装置はさらに、ローカルなユーザのログイン認証を行ない、正規のユーザのみ当該情報処理装置へのログインを許可するためのログイン認証手段を含み、
前記設定手段は、自装置へのログイン時を前記切断条件として設定するための切断条件設定手段を含み、
前記判定手段は、前記ログイン認証手段がログインを許可したことに応答して、前記遠隔操作装置との通信が確立されているか否かを判定するための通信判定手段を含み、
前記切断手段は、前記通信判定手段の判定結果が肯定であることに応答して、前記遠隔操作装置との通信を切断する、請求項１に記載の情報処理装置。
【請求項３】
前記情報処理装置はさらに、
ローカルなユーザのログイン認証を行ない、正規のユーザのみ当該情報処理装置へのログインを許可するためのログイン認証手段と、
ログイン状態でユーザによるログアウト指示を受付けたことに応答して、当該ログイン状態を解除するログアウト処理を実行するためのログアウト実行手段とを含み、
前記設定手段は、自装置からのログアウト時を前記切断条件として設定するための切断条件設定手段を含み、
前記判定手段は、前記ログアウト実行手段がログアウト処理を実行したことに応答して、前記遠隔操作装置との通信が確立されているか否かを判定するための通信判定手段を含み、
前記切断手段は、前記通信判定手段の判定結果が肯定であることに応答して、前記遠隔操作装置との通信を切断する、請求項１に記載の情報処理装置。
【請求項４】
前記情報処理装置はさらに、
通信状態を維持する遠隔操作装置の指定を受付けるための指定受付手段と、
通信中の遠隔操作装置が前記指定を受付けた遠隔操作装置か否かを判定するための装置判定手段と、を含み、
前記切断手段は、前記通信判定手段の判定結果が肯定であることに応答して、前記装置判定手段の判定結果に基づいて、前記遠隔操作装置との通信を切断する、請求項２又は請求項３に記載の情報処理装置。
【請求項５】
前記情報処理装置はさらに、前記遠隔操作装置との通信が確立されているか否かを判定し、判定結果が肯定であることに応答して、当該遠隔操作装置との通信を切断するか否かをユーザに問合せる問合せ手段を含み、
前記設定手段は、前記問合せに対して通信を切断する指示が入力されたタイミングを、前記切断条件として設定するための切断条件設定手段を含み、
前記判定手段は、前記問合せに対して通信を切断する指示が入力されたか否かを判定するための入力判定手段を含み、
前記切断手段は、前記入力判定手段の判定結果が肯定であることに応答して、前記遠隔操作装置との通信を切断する、請求項１に記載の情報処理装置。
【請求項６】
前記情報処理装置はさらに、ローカルなユーザのログイン認証を行ない、正規のユーザのみ当該情報処理装置へのログインを許可するためのログイン認証手段を含み、
前記問合せ手段は、前記ログイン認証手段がログインを許可したことに応答して、前記遠隔操作装置との通信が確立されているか否かを判定し、判定結果が肯定であることに応答して、当該遠隔操作装置との通信を切断するか否かをユーザに問合せるログイン時問合せ手段を含む、請求項５に記載の情報処理装置。
【請求項７】
前記情報処理装置はさらに、
認証情報の入力を受付けるための認証情報受付手段と、
前記認証情報受付手段が受付けた認証情報に基づいて認証処理を実行し、認証結果に応じて、前記設定手段による切断条件の設定を許可するための認証手段とを含む、請求項１〜請求項６のいずれかに記載の情報処理装置。
【請求項８】
前記情報処理装置はさらに、
切断条件の設定操作を受付ける設定画面を前記表示手段に表示させるための表示制御手段と、
前記表示制御手段により前記表示手段に前記設定画面が表示されたことに応じて、前記設定画面に代えて当該設定画面とは異なるダミー画面を前記遠隔操作装置に送信するよう前記送信手段を制御するための送信制御手段とを含み、
前記設定手段は、前記設定画面に対するユーザの入力操作に基づいて、前記切断条件を設定する、請求項１〜請求項６のいずれかに記載の情報処理装置。
【請求項９】
前記情報処理装置はさらに、ネットワークを介して外部のサーバ装置と接続され、
前記サーバ装置は、前記切断条件を設定するための設定情報を前記情報処理装置に送信し、
前記設定手段は、前記情報処理装置が前記設定情報を受信したことに応答して、受信した設定情報に基づいて、前記遠隔操作装置との通信を切断する切断条件を設定するための切断条件設定手段を含む、請求項１に記載の情報処理装置。
【請求項１０】
情報処理装置と、当該情報処理装置とネットワークを介して接続されるサーバ装置とを含む情報処理システムであって、
前記情報処理装置は、
操作画面を表示するための表示手段と、
前記操作画面を確認しながら前記情報処理装置を遠隔操作する遠隔操作装置とネットワークを介して通信するための第１の通信手段と、
前記第１の通信手段により前記遠隔操作装置との通信が確立されたことに応答して、前記表示手段に表示されている操作画面を前記遠隔操作装置に送信するための送信手段と、
前記サーバ装置と前記ネットワークを介して通信するための第２の通信手段と、
前記遠隔操作装置との通信をローカルなユーザの操作により実行される処理に応じて切断するために、前記第２の通信手段を介して前記サーバ装置と通信し、当該サーバ装置から前記遠隔操作装置との通信を切断するタイミングを示す切断条件を取得するための切断条件取得手段と、
前記遠隔操作装置との通信が確立された状態において、前記切断条件取得手段が取得した前記切断条件が満たされたか否かを判定するための判定手段と、
前記判定手段の判定結果が肯定であることに応答して、前記遠隔操作装置との通信を切断するための切断手段とを含み、
前記サーバ装置は、
前記遠隔操作装置との通信を切断するタイミングを示す切断条件を設定するための設定手段と、
前記情報処理装置との通信時に、前記設定手段により設定された切断条件を前記情報処理装置に送信するための切断条件送信手段とを含む、情報処理システム。
【発明の詳細な説明】
【技術分野】
【０００１】
本発明は、情報処理装置、及び情報処理システムに関し、特に、ネットワークを介して遠隔監視装置と接続される情報処理装置、及びこの情報処理装置を含む情報処理システムに関する。
【背景技術】
【０００２】
遠隔地にある装置のディスプレイに表示された画像を確認しながらその遠隔地にある装置を遠隔支援する技術として、ＶＮＣ（Ｖｉｒｔｕａｌ  Ｎｅｔｗｏｒｋ  Ｃｏｍｐｕｔｉｎｇ）技術が知られている。ＶＮＣ技術は、情報処理装置の一種である画像形成装置にも適用される。このＶＮＣ技術により、画像形成装置の操作画面が、当該画像形成装置とネットワークを介して接続されたクライアント端末の表示部にも表示される。すなわち、画像形成装置の操作画面が、当該画像形成装置とクライアント端末との間で共有される。クライアント端末のユーザは、当該クライアント端末の表示部に表示された仮想的な操作画面を介して画像形成装置を遠隔操作できる。
【０００３】
後掲の特許文献１は、こうした画像形成装置を開示する。この画像形成装置は、当該画像形成装置を遠隔操作する携帯情報装置（クライアント端末）とネットワークを介して接続される。画像形成装置は、携帯情報装置から送信される認証情報を受信して認証処理を実行する。認証が成功すると、画像形成装置と携帯情報装置との間で通信が確立される。通信が確立すると、画像形成装置は、自装置に表示されている操作画面を携帯情報装置に送信する。携帯情報装置は、画像形成装置から送信された操作画面を受信して自装置の操作部に表示する。携帯情報装置のユーザは、操作部に表示されている操作画面を操作することにより、画像形成装置を遠隔操作できる。
【先行技術文献】
【特許文献】
【０００４】
【特許文献１】特開２０１３−２１９５１０号公報
【発明の概要】
【発明が解決しようとする課題】
【０００５】
こうしたＶＮＣ技術をサポートする画像形成装置では、当該画像形成装置とクライアント装置との間で通信が確立すると、画像形成装置の操作画面がクライアント装置側にも表示される。そのため、画像形成装置のユーザが、当該画像形成装置の操作画面を操作すると、その操作結果がクライアント装置側の表示に反映される。画像形成装置を操作するユーザは、他のユーザが操作するクライアント装置と当該画像形成装置との間で通信が確立されているか否かを知ることが難しい。そのため、従来の技術では、画像形成装置を操作するユーザの知らない間に、当該ユーザの操作内容が他のユーザに覗き見されてしまうという問題がある。ユーザの操作によって、画像形成装置の操作画面に機密情報が表示された場合は、その機密情報がクライアント装置の表示部にも表示される。これにより、情報の漏洩が生じる。こうした問題は、特許文献１に記載の技術では解決できない。
【０００６】
本発明は、上記のような課題を解決するためになされたものであり、本発明の１つの目的は、操作内容の覗き見を防止して、情報の漏洩を防ぐことが可能な情報処理装置、及び情報処理システムを提供することである。
【課題を解決するための手段】
【０００７】
本発明の第１の局面に係る情報処理装置は、操作画面を表示するための表示手段と、操作画面を監視する遠隔監視装置とネットワークを介して通信するための通信手段と、通信手段により遠隔監視装置との通信が確立されたことに応答して、表示手段に表示されている操作画面を遠隔監視装置に送信するための送信手段と、遠隔監視装置との通信をローカルなユーザの操作により実行される処理に応じて切断するために、当該遠隔監視装置との通信を切断するタイミングを示す切断条件を設定するための設定手段と、遠隔監視装置との通信が確立された状態において、設定手段により設定された切断条件が満たされたか否かを判定するための判定手段と、判定手段の判定結果が肯定であることに応答して、遠隔監視装置との通信を切断するための切断手段とを含む。
【０００８】
情報処理装置は、ネットワークを介して遠隔監視装置と接続される。通信手段により遠隔監視装置との通信が確立されると、送信手段が、表示手段に表示されている操作画面を遠隔監視装置に送信する。設定手段は、遠隔監視装置との通信をローカルなユーザの操作により実行される処理に応じて切断するために、遠隔監視装置との通信を切断するタイミングを示す切断条件を設定する。判定手段は、遠隔操作装置との通信が確立された状態において、設定された切断条件が満たされたか否かを判定する。判定手段によって切断条件が満たされたと判定されると、切断手段が遠隔操作装置との通信を切断する。切断条件を設定しておくことで、その切断条件が満たされると遠隔操作装置との通信が切断される。これにより、操作内容の覗き見を防止できるので、情報の漏洩を防ぐことができる。
【０００９】
好ましくは、情報処理装置はさらに、ローカルなユーザのログイン認証を行ない、正規のユーザのみ当該情報処理装置へのログインを許可するためのログイン認証手段を含み、設定手段は、自装置へのログイン時を切断条件として設定するための切断条件設定手段を含み、判定手段は、ログイン認証手段がログインを許可したことに応答して、遠隔監視装置との通信が確立されているか否かを判定するための通信判定手段を含み、切断手段は、通信判定手段の判定結果が肯定であることに応答して、遠隔監視装置との通信を切断する。
【００１０】
より好ましくは、情報処理装置はさらに、ローカルなユーザのログイン認証を行ない、正規のユーザのみ当該情報処理装置へのログインを許可するためのログイン認証手段と、ログイン状態でユーザによるログアウト指示を受付けたことに応答して、当該ログイン状態を解除するログアウト処理を実行するためのログアウト実行手段とを含み、設定手段は、自装置からのログアウト時を切断条件として設定するための切断条件設定手段を含み、判定手段は、ログアウト実行手段がログアウト処理を実行したことに応答して、遠隔監視装置との通信が確立されているか否かを判定するための通信判定手段を含み、切断手段は、通信判定手段の判定結果が肯定であることに応答して、遠隔監視装置との通信を切断する。
【００１１】
さらに好ましくは、情報処理装置はさらに、通信状態を維持する遠隔監視装置の指定を受付けるための指定受付手段と、通信中の遠隔監視装置が指定を受付けた遠隔監視装置か否かを判定するための装置判定手段と、を含み、切断手段は、通信判定手段の判定結果が肯定であることに応答して、装置判定手段の判定結果に基づいて、遠隔監視装置との通信を切断する。
【００１２】
さらに好ましくは、情報処理装置はさらに、遠隔監視装置との通信が確立されているか否かを判定し、判定結果が肯定であることに応答して、当該遠隔監視装置との通信を切断するか否かをユーザに問合せる問合せ手段を含み、設定手段は、問合せに対して通信を切断する指示が入力されたタイミングを、切断条件として設定するための切断条件設定手段を含み、判定手段は、問合せに対して通信を切断する指示が入力されたか否かを判定するための入力判定手段を含み、切断手段は、入力判定手段の判定結果が肯定であることに応答して、遠隔監視装置との通信を切断する。
【００１３】
さらに好ましくは、情報処理装置はさらに、ローカルなユーザのログイン認証を行ない、正規のユーザのみ当該情報処理装置へのログインを許可するためのログイン認証手段を含み、問合せ手段は、ログイン認証手段がログインを許可したことに応答して、遠隔監視装置との通信が確立されているか否かを判定し、判定結果が肯定であることに応答して、当該遠隔監視装置との通信を切断するか否かをユーザに問合せるログイン時問合せ手段を含む。
【００１４】
さらに好ましくは、情報処理装置はさらに、認証情報の入力を受付けるための認証情報受付手段と、認証情報受付手段が受付けた認証情報に基づいて認証処理を実行し、認証結果に応じて、設定手段による切断条件の設定を許可するための認証手段とを含む。
【００１５】
さらに好ましくは、情報処理装置はさらに、切断条件の設定操作を受付ける設定画面を表示手段に表示させるための表示制御手段と、表示制御手段により表示手段に設定画面が表示されたことに応じて、設定画面に代えて当該設定画面とは異なるダミー画面を遠隔監視装置に送信するよう送信手段を制御するための送信制御手段とを含み、設定手段は、設定画面に対するユーザの入力操作に基づいて、切断条件を設定する。
【００１６】
さらに好ましくは、情報処理装置はさらに、ネットワークを介して外部のサーバ装置と接続され、サーバ装置は、切断条件を設定するための設定情報を情報処理装置に送信し、設定手段は、情報処理装置が設定情報を受信したことに応答して、受信した設定情報に基づいて、遠隔監視装置との通信を切断する切断条件を設定するための切断条件設定手段を含む。
【００１７】
本発明の第２の局面に係る情報処理システムは、情報処理装置と、当該情報処理装置とネットワークを介して接続されるサーバ装置とを含む。情報処理装置は、操作画面を表示するための表示手段と、操作画面を監視する遠隔監視装置とネットワークを介して通信するための第１の通信手段と、第１の通信手段により遠隔監視装置との通信が確立されたことに応答して、表示手段に表示されている操作画面を遠隔監視装置に送信するための送信手段と、サーバ装置とネットワークを介して通信するための第２の通信手段と、遠隔監視装置との通信をローカルなユーザの操作により実行される処理に応じて切断するために、第２の通信手段を介してサーバ装置と通信し、当該サーバ装置から遠隔監視装置との通信を切断するタイミングを示す切断条件を取得するための切断条件取得手段と、遠隔監視装置との通信が確立された状態において、切断条件取得手段が取得した切断条件が満たされたか否かを判定するための判定手段と、遠隔監視装置との通信が確立された状態において、設定手段により設定された切断条件が満たされたか否かを判定するための判定手段と、判定手段の判定結果が肯定であることに応答して、遠隔監視装置との通信を切断するための切断手段とを含む。サーバ装置は、遠隔監視装置との通信を切断するタイミングを示す切断条件を設定するための設定手段と、情報処理装置との通信時に、設定手段により設定された切断条件を情報処理装置に送信するための切断条件送信手段とを含む。
【発明の効果】
【００１８】
以上より、本発明によれば、操作内容の覗き見を防止して、情報の漏洩を防ぐことが可能な情報処理装置、及び情報処理システムを得ることができる。
【図面の簡単な説明】
【００１９】
【図１】本発明の第１の実施の形態に係る画像形成装置を含む情報処理システムを示す図である。
【図２】図１に示す画像形成装置のハードウェア構成を示す制御ブロック図である。
【図３】図１に示す画像形成装置の操作パネルに表示されるリモート接続設定画面の例を示す図である。
【図４】図１に示す遠隔操作装置のハードウェア構成を示す制御ブロック図である。
【図５】図１に示す画像形成装置で実行されるプログラムの制御構造を示すフローチャートである。
【図６】操作パネルに表示されるダイアログボックスの例を示す図である。
【図７】本発明の第２の実施の形態に係る画像形成装置の操作パネルに表示されるリモート接続設定画面の例を示す図である。
【図８】本発明の第２の実施の形態に係る画像形成装置で実行されるプログラムの制御構造を示すフローチャートである。
【図９】本発明の第３の実施の形態に係る画像形成装置を含む情報処理システムを示す図である。
【図１０】図９に示す画像形成装置の操作パネルに表示されるリモート接続設定画面の例を示す図である。
【図１１】図１に示すサーバ装置のハードウェア構成を示す制御ブロック図である。
【図１２】図９に示す画像形成装置で実行されるプログラムの制御構造を示すフローチャートである。
【図１３】図１２のステップＳ１１００の詳細なフローである。
【図１４】図９に示すサーバ装置で実行されるプログラムの制御構造を示すフローチャートである。
【図１５】本発明の第４の実施の形態に係る画像形成装置を含む情報処理システムを示す図である。
【発明を実施するための形態】
【００２０】
以下の実施の形態では、同一の部品には同一の参照番号を付してある。それらの機能及び名称も同一である。したがって、それらについての詳細な説明は繰返さない。
【００２１】
（第１の実施の形態）
［全体システム構成］
図１を参照して、本実施の形態に係る情報処理システム３０は、情報処理装置の一種である画像形成装置１００と、この画像形成装置１００を遠隔操作する遠隔操作装置２００とを含む。画像形成装置１００は、ネットワーク５０を介して、遠隔操作装置２００と通信可能に接続される。図１では、画像形成装置１００に１台の遠隔操作装置２００が接続される例を示しているが、遠隔操作装置２００の台数はこれに限定されない。画像形成装置１００に接続される遠隔操作装置の台数は複数台であってもよい。
【００２２】
画像形成装置１００は、例えば、コピーモード、プリントモード、スキャナモード、及びファクシミリ（以下「ＦＡＸ」と呼ぶ。）モード等の複数の動作モードを備える複合機（ＭＦＰ：Ｍｕｌｔｉｆｕｎｃｔｉｏｎ  Ｐｅｒｉｐｈｅｒａｌ）である。この画像形成装置１００は、レーザー光を露光に利用する、所謂レーザー方式（電子写真方式）の印刷機能を備える。しかし、他の形式の印刷機能を備えたものであってもよい。
【００２３】
画像形成装置１００は、自装置を操作するための操作ユニット１２０を含む。操作ユニット１２０は操作画面を表示する操作パネル１２２を含む。操作パネル１２２はタッチパネルディスプレイからなる。この画像形成装置１００には、遠隔操作装置２００に自装置を遠隔操作させるためのアプリケーションソフトウェア（例えばＶＮＣサーバソフト）がインストールされている。
【００２４】
遠隔操作装置２００は、例えばパーソナルコンピュータ（ＰＣ）等のクライアント端末からなる。遠隔操作装置２００は、情報を表示するためのディスプレイ２６２を含む。この遠隔操作装置２００には、ネットワーク５０を介して画像形成装置１００を遠隔操作するためのアプリケーションソフトウェア（例えばＶＮＣクライアントソフト）がインストールされている。
【００２５】
このように、本実施の形態に係る情報処理システム３０にはＶＮＣ等の遠隔操作技術が用いられている。遠隔操作技術においては、画像形成装置１００と遠隔操作装置２００との間で、ネットワーク５０を介した通信が確立される。以下、遠隔操作のためのネットワークを介した通信を「リモート接続」と呼ぶ場合がある。通信が確立すると、画像形成装置１００の操作画面が、遠隔操作装置２００との間で共有される。これにより、遠隔操作装置２００を操作するユーザ（リモートユーザ）は、画像形成装置１００を操作するローカルなユーザの操作内容を監視できる。したがって、遠隔操作装置２００は、操作画面、すなわちユーザの操作内容を監視する遠隔監視装置としての機能を持つ。
【００２６】
例えばＶＮＣサーバソフトが動作している画像形成装置１００は、操作パネル１２２に表示されている操作画面の画像データをＶＮＣクライアントソフトが動作している遠隔操作装置２００に送信する。遠隔操作装置２００は、画像形成装置１００から送信された画像データを受信してディスプレイ２６２に表示する。画像形成装置１００のローカルなユーザが、当該画像形成装置１００の操作画面を操作すると、その操作結果が遠隔操作装置２００のディスプレイ２６２にも表示される。一方、遠隔操作装置２００を操作するリモートユーザがディスプレイ２６２に表示された操作画面を操作すると、遠隔操作装置２００は操作結果の座標情報を画像形成装置１００に送信する。画像形成装置１００は遠隔操作装置２００から送信された座標情報を受信すると、受信した座標情報に応じた処理を実行する。画像形成装置１００と遠隔操作装置２００との間で、画像データ及び操作結果（座標情報）の送受信が行なわれることにより、遠隔操作装置２００による画像形成装置１００の遠隔操作が可能となる。
【００２７】
画像形成装置１００と遠隔操作装置２００との通信の確立は、画像形成装置１００が遠隔操作装置２００を認証することにより行なわれる。画像形成装置１００は遠隔操作装置２００を認証する機能を持ち、遠隔操作装置２００から送信される認証情報を受信して認証処理を実行する。認証に成功すると、画像形成装置１００は遠隔操作装置２００とのリモート接続を許可するか否かを問合せる問合せ画面（図示せず。）を操作パネル１２２に表示する。ローカルなユーザによる操作パネル１２２の操作によって「許可する」が選択されると、画像形成装置１００と遠隔操作装置２００との間でネットワーク５０を介した通信（リモート接続）が確立される。なお、設定により、認証が成功すると直ちにリモート接続が確立されるようにもできる。
【００２８】
遠隔操作装置２００とリモート接続されている場合であっても、当該遠隔操作装置２００を操作するユーザが信頼できるユーザであれば情報漏洩の可能性は低い。信頼できるユーザとは、画像形成装置１００を操作するユーザにとって信頼できるユーザであって、例えば画像形成装置１００の管理者、画像形成装置１００のメンテナンスを行なうサービスマン、及びヘルプデスクの担当者等が挙げられる。ヘルプデスクの担当者が行なう遠隔操作による操作支援は、画像形成装置１００を操作するユーザの合意の上での操作となるため、この場合も情報漏洩の可能性は低い。
【００２９】
画像形成装置１００を操作しようとするユーザは、当該画像形成装置１００が遠隔操作装置２００との間でリモート接続が確立されている状態か否かを知ることが難しい。信頼できないユーザによって、遠隔操作装置２００と画像形成装置１００とのリモート接続が既に確立されている場合、その後の操作内容が覗き見される。この場合、情報が漏洩する可能性が高い。特に、不特定多数のユーザが画像形成装置１００を利用する環境では、覗き見による情報の漏洩が生じ易い。例えば、データ送信又はＦＡＸ送信時のアドレス情報、画像プレビュー時のプレビュー画像、装置本体の設定値及び調整値等には機密性の高い情報が含まれることがあるため、ユーザにとってこうした情報の覗き見を防止したいことが多々ある。
【００３０】
本実施の形態に係る画像形成装置１００は、覗き見による情報漏洩を防止するために、リモート接続を切断するタイミングを示す切断条件を設定する設定機能を持つ。切断条件は、画像形成装置１００の運用環境等に応じて、例えば当該画像形成装置１００の管理者によって予め設定される。画像形成装置１００は、遠隔操作装置２００とのリモート接続が確立されている状態で、設定された切断条件を満たすことを検出すると、遠隔操作装置２００とのリモート接続を切断する。
【００３１】
切断条件の設定は、後述するリモート接続設定画面を操作することによって行なわれる。このリモート接続設定画面は、操作パネル１２２に表示される。リモート接続設定画面の遠隔操作による設定変更を防止するために、リモート接続設定画面の表示の際にパスワードの入力を要求するよう設定することも可能である。さらに、リモート接続設定画面の設定中は遠隔操作装置２００による遠隔操作を禁止するよう設定することも可能である。この場合、リモート接続設定画面が操作パネル１２２に表示されると、画像形成装置１００は、リモート接続設定画面とは異なるダミー画面の画像データを遠隔操作装置２００に送信する。
【００３２】
画像形成装置１００はさらに、ローカルなユーザを認証するユーザ認証機能を持つ。ユーザ認証に用いられるユーザ認証情報は、遠隔操作装置２００を認証する認証情報とは別個独立である。
【００３３】
［ハードウェア構成］
《画像形成装置１００》
図２を参照して、画像形成装置１００は、制御部１１０、操作ユニット１２０、原稿読取部１３０、画像処理部１４０、画像形成部１５０、ＦＡＸ通信部１６０、ユーザ認証装置１７０、及びＮＩＣ（Ｎｅｔｗｏｒｋ  Ｉｎｔｅｒｆａｃｅ  Ｃａｒｄ）１８０を含む。
【００３４】
制御部１１０は、実質的にコンピュータであって、画像形成装置１００全体を制御するＣＰＵ（Ｃｅｎｔｒａｌ  Ｐｒｏｃｅｓｓｉｎｇ  Ｕｎｉｔ）１１２、プログラム等を記憶するためのＲＯＭ（Ｒｅａｄ−Ｏｎｌｙ  Ｍｅｍｏｒｙ）１１４、揮発性の記憶装置であるＲＡＭ（Ｒａｎｄｏｍ  Ａｃｃｅｓｓ  Ｍｅｍｏｒｙ）１１６、及び記憶装置１１８を含む。記憶装置１１８は、通電が遮断された場合にもデータを保持する不揮発性記憶装置であり、例えばハードディスクドライブ（ＨＤＤ）及びフラッシュメモリを含む。ＣＰＵ１１２には、ＢＵＳライン１９０が接続されており、このＢＵＳライン１９０には、ＲＯＭ１１４、ＲＡＭ１１６及び記憶装置１１８が電気的に接続される。
【００３５】
ＣＰＵ１１２は、操作ユニット１２０等からの指示に応じて各種コンピュータプログラムを実行することによって、画像形成装置１００の各部の動作及びパーソナルコンピュータ（ＰＣ）等の外部機器との通信等の所望の処理を実行する。上記の各種コンピュータプログラムは、予めＲＯＭ１１４又は記憶装置１１８に記憶されており、所望の処理の実行時において、当該ＲＯＭ１１４又は記憶装置１１８から読出されてＲＡＭ１１６に転送される。ＣＰＵ１１２は、ＣＰＵ１１２内の図示しないプログラムカウンタと呼ばれるレジスタに格納された値によって指定される、ＲＡＭ１１６内のアドレスからプログラムの命令を読出し、解釈する。ＣＰＵ１１２はまた、読出された命令によって指定されるアドレスから演算に必要なデータを読出し、そのデータに対し命令に対応する演算を実行する。実行の結果も、ＲＡＭ１１６、記憶装置１１８及びＣＰＵ１１２内のレジスタ等の、命令によって指定されるアドレスに格納される。
【００３６】
ＲＯＭ１１４又は記憶装置１１８には、画像形成装置１００の一般的な動作等を実現するためのコンピュータプログラムとともに、遠隔操作装置２００による遠隔操作を実現するためのコンピュータプログラムが記憶される。このコンピュータプログラムは、ＮＩＣ１８０を介して、外部の情報処理装置等から提供される。なお、このコンピュータプログラムは、そのコンピュータプログラムが記録された、例えばＤＶＤ等の記憶媒体によって提供されてもよい。すなわち、例えばコンピュータプログラムの記録媒体としてのＤＶＤが、画像形成装置１００内に内蔵されるＤＶＤドライブ（図示せず。）に装着され、そのＤＶＤからコンピュータプログラムが読出されて記憶装置１１８にインストールされてもよい。
【００３７】
制御部１１０はさらに、例えば操作ユニット１２０に対するユーザの操作入力に応じて、遠隔操作装置２００とのリモート接続を切断するタイミングを示す切断条件を設定する。設定された切断条件は記憶装置１１８に記憶される。記憶装置１１８は、他に、画像データ等を含む各種データを記憶する。
【００３８】
ＢＵＳライン１９０には、さらに、操作ユニット１２０、原稿読取部１３０、画像処理部１４０、画像形成部１５０、ＦＡＸ通信部１６０、ユーザ認証装置１７０、及びＮＩＣ１８０が電気的に接続される。
【００３９】
操作ユニット１２０はユーザによる操作を受付ける。この操作ユニット１２０は、上記操作パネル１２２を含む。操作パネル１２２は、液晶パネル等で構成された表示パネル１２４と、表示パネル１２４の上に配置され、タッチされた位置を検出するタッチパネル１２６とを含むタッチパネルディスプレイからなる。表示パネル１２４は、画像形成装置１００の状態及び各種処理の状態に関する情報等の各種情報をユーザに提供する。この操作パネル１２２は、ユーザに対して対話的な操作インターフェイス（ＵＩ）を提供する。この対話的な操作インターフェイスは、タッチパネル１２６から画像形成装置１００全体の動作に対するユーザの指示を受付け、その指示の内容を表示パネル１２４に表示するとともに、その指示に応じた制御信号を制御部１１０等に対して出力する。
【００４０】
原稿読取部１３０は、スキャナ及びＣＣＤ（Ｃｈａｒｇｅ−Ｃｏｕｐｌｅｄ  Ｄｅｖｉｃｅ）ラインセンサ（以上いずれも図示せず。）を含む。スキャナは、原稿載置台上に載置された原稿の画像表面に対し光源（図示せず。）から光を照射することによって得られる反射光像をＣＣＤラインセンサ上に結像させ、光源を移動させながら原稿をスキャンする。ＣＣＤラインセンサは、結像した反射光像を順次光電変換して画像データとして画像処理部１４０に対して出力する。すなわち、原稿読取部１３０は、原稿のコピー時又はスキャン時に、原稿載置台に載置される原稿からスキャナによって画像情報を読取り、読取った画像情報をＣＣＤラインセンサによって電気信号に変換して画像データとして画像処理部１４０に対して出力する。
【００４１】
画像処理部１４０は、ＭＰＵ（Ｍｉｃｒｏ  Ｐｒｏｃｅｓｓｉｎｇ  Ｕｎｉｔ、図示せず。）を含む。画像処理部１４０は、原稿読取部１３０、又は、外部機器等から受信した画像データに対して、例えば、ラスタライズ処理等の所定の画像処理を含む各種処理を施して所定の階調の印刷データを作成し、画像形成部１５０に対して出力する。
【００４２】
画像形成部１５０は、画像データによって示される画像をカラー又は単色で記録用紙に印刷するものであって、例えば、感光体ドラム、帯電装置、レーザースキャンユニット（ＬＳＵ）、現像装置、転写装置、クリーニング装置、定着装置、及び除電装置等を備えている。画像形成部１５０には、例えば、搬送路が設けられており、給紙部（図示せず。）から給紙されてきた記録用紙が搬送路に沿って搬送される。
【００４３】
給紙部は、複数枚の記録用紙を収納可能なカセットトレイ（図示せず。）を含む。給紙部は、カセットトレイに収納された記録用紙を１枚ずつ引出して記録用紙を画像形成部１５０の搬送路へと送り出す。画像形成部１５０の搬送路に沿って記録用紙が搬送されている途中で、記録用紙が感光体ドラムと転写装置との間を通過し、さらに定着装置を通過して、記録用紙に対する印刷が行なわれる。
【００４４】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。転写装置は、転写装置と感光体ドラムとの間を通過していく記録用紙に感光体ドラムの表面のトナー像を転写する。
【００４５】
定着装置は、記録用紙を加熱するための加熱ローラと、記録用紙を加圧するための加圧ローラとを含む。記録用紙が加熱ローラによって加熱され、かつ、加圧ローラによって加圧されることによって、記録用紙上に転写されたトナー像が記録用紙に定着される。定着装置から排出された（印刷された）記録用紙は排紙トレイに排出される。
【００４６】
ＦＡＸ通信部１６０は、電話回線網６０に接続され、この電話回線網６０を介してファクシミリ通信を行なうためのインターフェイスである。画像形成装置１００は、ＦＡＸ通信部１６０及び電話回線網６０を介して外部のファクシミリ装置（図示せず。）とＦＡＸ送受信することができる。
【００４７】
ユーザ認証装置１７０は、ＣＰＵ１１２の制御の下で、ローカルなユーザに対して認証処理を実行する。ユーザ認証装置１７０は、認証用カードに記憶されている情報を読取るカード読取部１７２を含む。認証用カードは、例えばＩＣカード等の情報を記憶することが可能なカードであって、画像形成装置１００を利用するユーザに配布されている。認証用カードには当該認証用カードを所持するユーザを特定するユーザ認証情報（例えばユーザＩＤ等）が予め記憶されている。カード読取部１７２は、ユーザによって認証用カードがかざされると、当該認証用カードに記憶されたユーザ認証情報を読取る。ユーザ認証装置１７０は、カード読取部１７２が読取ったユーザ認証情報に基づいて、認証処理を行なう。認証処理により正規のユーザであると判定されると、ユーザ認証装置１７０は、当該ユーザに対して、画像形成装置１００へのログインを許可する。操作パネル１２２には、ログイン後の操作画面（図示せず。）が表示される。この操作画面には「ログアウト」キーが表示されている。ローカルなユーザによって「ログアウト」キーが操作されると、ユーザ認証装置１７０はログアウト処理を実行する。これにより、ログイン状態が解除される。以下において、「ログイン」及び「ログアウト」とは、それぞれ、ローカルな「ログイン」及び「ログアウト」のみを指す。
【００４８】
遠隔操作装置２００とのリモート接続を確立するための認証処理は、制御部１１０によって行なわれる。この認証処理は、遠隔操作装置２００から送信される認証情報に基づいて実行される。遠隔操作装置２００から送信される認証情報は、ユーザ認証装置１７０が要求するユーザ認証情報とは別個独立である。そのため、画像形成装置１００にローカルなユーザがログインする前であっても、当該画像形成装置１００は遠隔操作装置２００とのリモート接続を確立できる。この場合、ログイン前に操作パネル１２２に表示されている画面が遠隔操作装置２００のディスプレイ２６２に表示される。
【００４９】
ＮＩＣ１８０は、ネットワーク５０とのインターフェイスをとる。画像形成装置１００は、このＮＩＣ１８０を介して、ネットワーク５０上の情報処理装置等と、所定の通信プロトコルにしたがったデータ通信を行なうことができる。画像形成装置１００は、ＮＩＣ１８０を介して、ＰＣ等から印刷ジョブ等の各種処理の実行を命令する命令信号を受信できる。
【００５０】
図３を参照して、上述したように、切断条件の設定は、操作パネル１２２に表示されるリモート接続設定画面３００を介して行なわれる。リモート接続設定画面３００は、ログイン時にリモート接続を切断するよう設定する際にチェックが入れられるチェックボックス３１０、及びログイン時に「リモート接続中」ダイアログを表示するよう設定する際にチェックが入れられるチェックボックス３１２を含む。チェックボックス３１０にチェックが入れられると、チェックボックス３１２はグレーアウト表示になり、チェックを入れることができなくなる。同様に、チェックボックス３１２にチェックが入れられると、チェックボックス３１０はグレーアウト表示になり、チェックを入れることができなくなる。
【００５１】
チェックボックス３１０にチェックが入れられると、切断条件、すなわちリモート接続を切断するタイミングが「ログイン時」に設定される。チェックボックス３１２にチェックが入れられると、切断条件、すなわちリモート接続を切断するタイミングが「リモート接続を切断する指示入力時」に設定される。このように設定されていると、ログイン時にリモート接続が確立された状態であれば、「リモート接続中」を通知するダイアログボックスが操作パネル１２２に表示される。ローカルなユーザによってリモート接続を切断する指示が入力されると、遠隔操作装置２００とのリモート接続が切断される。
【００５２】
リモート接続設定画面３００はさらに、リモート接続を維持する遠隔操作装置（切断の例外端末）を設定する際にチェックが入れられるチェックボックス３２０、リモート接続を維持する遠隔操作装置２００のＩＰアドレスを入力するための入力欄３２２、リモート接続設定画面３００の表示時にパスワードの入力を要求するよう設定する際にチェックが入れられるチェックボックス３３０、そのパスワードを設定するためのパスワード入力欄３３２、及びリモート接続設定画面３００の設定中は遠隔操作装置２００による遠隔操作を禁止するよう設定する際にチェックが入れられるチェックボックス３４０を含む。リモート接続設定画面３００を介して設定された設定情報（設定値）は、記憶装置１１８（図２参照）に記憶される。
【００５３】
《遠隔操作装置２００》
図４を参照して、遠隔操作装置２００は、バス２９０と、バス２９０に接続されたＣＰＵ２１０と、バス２９０に接続されたＲＯＭ２２０と、バス２９０に接続されたＲＡＭ２３０と、バス２９０に接続されたＨＤＤ２４０と、バス２９０に接続され、光ディスク２８２が装着可能で、光ディスク２８２に対する情報の書込及び光ディスク２８２からの情報の読出が可能な光ディスクドライブ２８０と、バス２９０に接続され、マウス２５２及びキーボード２５４との間の接続に関するインターフェイスを提供するための入力ＩＦ（Ｉｎｔｅｒｆａｃｅ）２５０と、バス２９０に接続され、ディスプレイ２６２との間の接続に関するインターフェイスを提供するためのディスプレイＩＦ２６０と、有線又は無線（本実施の形態においては有線）によりネットワーク５０への接続を提供するネットワークＩＦ２７０とを含む。
【００５４】
バス２９０、ＲＯＭ２２０、ＲＡＭ２３０、ＨＤＤ２４０、光ディスクドライブ２８０、入力ＩＦ２５０、ディスプレイＩＦ２６０及びネットワークＩＦ２７０は、いずれもＣＰＵ２１０の制御のもとに協調して動作し、遠隔操作装置２００において種々のアプリケーションによる処理を実現する。それらアプリケーションによる処理は、画像形成装置１００を遠隔操作するための遠隔操作処理を含む。
【００５５】
遠隔操作装置２００にこうした遠隔操作処理を行なわせるためのコンピュータプログラムは、光ディスクドライブ２８０に挿入される光ディスク２８２に記憶され、さらにＨＤＤ２４０に転送される。又は、プログラムはネットワーク５０を通じて遠隔操作装置２００に送信されＨＤＤ２４０に記憶されてもよい。プログラムは実行の際にＲＡＭ２３０にロードされる。光ディスク２８２から、又はネットワーク５０を介して、直接にＲＡＭ２３０にプログラムをロードしてもよい。
【００５６】
［ソフトウェア構成］
図５を参照して、遠隔操作装置２００による操作内容の覗き見を防止するために、画像形成装置１００で実行されるコンピュータプログラムの制御構造について説明する。このプログラムは、ローカルなユーザによるログイン操作を検出したことに応じて開始する。
【００５７】
このプログラムは、ユーザ認証装置１７０にログイン処理を実行させ、ログイン操作を行なったローカルなユーザが正規のユーザであると判定されたこと応じて、当該ユーザに対して画像形成装置１００へのログインを許可するステップＳ１０００と、ステップＳ１０００の後に実行され、遠隔操作装置２００との間でリモート接続が確立されているか否かを判定し、判定結果に応じて制御の流れを分岐させるステップＳ１０１０と、ステップＳ１０１０において、リモート接続が確立されていると判定された場合に実行され、ログイン時にリモート接続を切断するよう設定されているか否かを判定し、判定結果に応じて制御の流れを分岐させるステップＳ１０２０と、ステップＳ１０２０において、ログイン時にリモート接続を切断するよう設定されていると判定された場合に実行され、リモート接続中の遠隔操作装置がリモート接続を維持する遠隔操作装置として設定されているか否かを判定し、判定結果に応じて制御の流れを分岐させるステップＳ１０３０と、ステップＳ１０３０において、リモート接続中の遠隔操作装置がリモート接続を維持する遠隔操作装置として設定されていないと判定された場合に実行され、接続中のリモート接続を切断するステップＳ１０４０とを含む。
【００５８】
このプログラムはさらに、ステップＳ１０２０において、ログイン時にリモート接続を切断するよう設定されていないと判定された場合に実行され、「リモート接続中」を通知するダイアログボックスを表示するよう設定されているか否かを判定し、判定結果に応じて制御の流れを分岐させるステップＳ１０５０と、ステップＳ１０５０において、当該ダイアログボックスを表示するよう設定されていると判定された場合に実行され、「リモート接続中」を通知するダイアログボックスを操作パネル１２２に表示するステップＳ１０６０と、ステップＳ１０６０の後に実行され、リモート接続を切断する指示がされたか否かを判定し、判定結果に応じて制御の流れを分岐させるステップＳ１０７０とを含む。
【００５９】
ステップＳ１０６０では、図６に示されるダイアログボックス４００が操作パネル１２２に表示される。図６を参照して、ダイアログボックス４００は、リモート接続中であることを通知する文字列、及びリモート接続を切断するか否かを問合せる文字列を表示する領域４０２、リモート接続を切断する場合に操作される「はい」キー４０４、及びリモート接続を切断しない場合に操作される「いいえ」キー４０６を含む。
【００６０】
ローカルなユーザによって「はい」キー４０４が操作されると、ステップＳ１０７０において、リモート接続を切断する指示がされたと判定される。一方、ローカルなユーザによって「いいえ」キー４０６が操作されると、ステップＳ１０７０において、リモート接続を切断する指示がされていない、すなわち、リモート接続を切断しない指示がされたと判定される。ステップＳ１０７０において、リモート接続を切断する指示がされたと判定された場合は、制御はステップＳ１０４０に進む。
【００６１】
再び図５を参照して、このプログラムはさらに、ステップＳ１０１０において、リモート接続が確立されていないと判定された場合、ステップＳ１０３０において、リモート接続中の遠隔操作装置がリモート接続を維持する遠隔操作装置として設定されていると判定された場合、ステップＳ１０７０において、リモート接続を切断する指示がされていないと判定された場合、ステップＳ１０５０において、「リモート接続中」を通知するダイアログボックスを表示するよう設定されていないと判定された場合、又はステップＳ１０４０の後に実行され、操作パネル１２２の表示をログイン後の画面に遷移させてこのプログラムを終了させるステップＳ１０８０を含む。
【００６２】
［動作］
本実施の形態に係る情報処理システム３０は以下のように動作する。以下の説明では、情報処理システム３０の動作の内、本発明に関連する部分のみを説明する。他の動作は従来の情報処理システムの動作と同じである。
【００６３】
画像形成装置１００は、ユーザの操作に応じて、操作パネル１２２にリモート接続設定画面３００を表示する。図３を参照して、画像形成装置１００は、リモート接続設定画面３００に対する操作入力を受付けて、リモート接続に関する設定を行なう。リモート接続設定画面３００では、ログイン時に自動的にリモート接続を切断するか否かを設定できる。さらに、ログイン時に手動でリモート接続を切断するか否かを設定することもできる。チェックボックス３１０にチェックが入れられると、ログイン時に自動的にリモート接続を切断するよう設定される。一方、チェックボックス３１２にチェックが入れられると、ログイン時に手動でリモート接続を切断可能に設定される。すなわち、ログイン時にリモート接続中であれば「リモート接続中」を通知するダイアログボックス４００（図６参照）を操作パネル１２２に表示するよう設定される。
【００６４】
例えば、遠隔操作装置２００とのリモート接続に関して、常時接続を禁止している運用環境では、ログイン時に自動的にリモート接続を切断するよう設定できる。一方、画像形成装置１００の運用環境によっては、遠隔操作装置２００とのリモート接続を常に維持しておきたい場合もあり得る。例えば画像形成装置１００の監視等を目的とする場合である。このような、リモート接続の常時接続を許可している運用環境では、リモート接続を切断しないよう設定できる。これにより、切断後に再度リモート接続を確立する手間が省かれる。
【００６５】
さらに、一部のユーザに対してリモート接続の常時接続を維持したい運用環境も想定される。例えば、画像形成装置１００の管理者、サービスマン、又はヘルプデスクの担当者等は、操作支援等を行なうために、ログイン後であっても、リモート接続を維持しておきたいことがある。そうした場合、管理者ユーザは、チェックボックス３２０にチェックを入れ、入力欄３２２に遠隔操作装置のＩＰアドレスを入力することにより、リモート接続を維持する遠隔操作装置が設定される。
【００６６】
さらに、チェックボックス３３０にチェックが入れられ、パスワード入力欄３３２にパスワードが入力されると、リモート接続設定画面３００にパスワードが設定される。パスワードが設定されると、画像形成装置１００は、次回以降、リモート接続設定画面３００の表示前にパスワードの入力を要求する。さらに、チェックボックス３４０にチェックが入れられると、リモート接続設定画面３００の設定中は遠隔操作装置２００による遠隔操作が禁止される。この場合、リモート接続設定画面３００が操作パネル１２２に表示された場合に、画像形成装置１００は、表示されているリモート接続設定画面３００の画像データに代えて、ダミー画面の画像データを遠隔操作装置２００に送信する。遠隔操作装置２００のディスプレイ２６２には、ダミー画像が表示されるので、リモート接続設定画面３００の遠隔操作が禁止される。
【００６７】
上記したリモート接続に関する設定は、画像形成装置１００の運用環境に応じて、予め設定される。
【００６８】
図５を参照して、ユーザが画像形成装置１００を使用するために、ログイン操作を行なったとする。画像形成装置１００は、ログイン処理を実行し、ログイン操作を行なったローカルなユーザが正規のユーザであると判定すると、当該ユーザに対して自装置へのログインを許可する（ステップＳ１０００）。画像形成装置１００は、遠隔操作装置２００とのリモート接続が確立されているか否かを判定する。画像形成装置１００は、遠隔操作装置２００とのリモート接続が確立されていないと判定すると（ステップＳ１０１０においてＮＯ）、操作パネル１２２にログイン後の画面を表示する（ステップＳ１０８０）。一方、遠隔操作装置２００とのリモート接続が確立されていると判定した場合（ステップＳ１０１０においてＹＥＳ）、画像形成装置１００は、ログイン時にリモート接続を切断するよう設定されているか否かを判定する。
【００６９】
図３を参照して、チェックボックス３１０へのチェックによって、ログイン時にリモート接続を切断するよう設定されていると（図５に示すステップＳ１０２０においてＹＥＳ）、画像形成装置１００は、接続中の遠隔操作装置２００がリモート接続を維持する遠隔操作装置として設定されているか否かを判定する。接続中の遠隔操作装置２００がリモート接続を維持する遠隔操作装置として設定されている場合（ステップＳ１０３０においてＹＥＳ）、画像形成装置１００は、リモート接続を維持した状態で操作パネル１２２にログイン後の画面を表示する（ステップＳ１０８０）。一方、接続中の遠隔操作装置２００がリモート接続を維持する遠隔操作装置として設定されていない場合（ステップＳ１０３０においてＮＯ）、画像形成装置１００は、接続中のリモート接続を切断する（ステップＳ１０４０）。これにより、信頼できないリモートユーザの覗き見による情報漏洩を防止しつつ、例えば管理者又はサービスマン等の信頼できるユーザによるリモート接続は維持できる。
【００７０】
ログイン時にリモート接続を切断するよう設定されていない場合、画像形成装置１００は、「リモート接続中」を通知するダイアログボックスを表示するよう設定されているか否かを判定する。すなわち、画像形成装置１００は、チェックボックス３１２にチェックが入れられているか否かを判定する。チェックボックス３１２にチェックが入れられている場合、画像形成装置１００は、操作パネル１２２に図６に示すダイアログボックス４００を表示する（ステップＳ１０６０）。画像形成装置１００は、ダイアログボックス４００を表示することによって、リモート接続中であることをローカルなユーザに知らせ、リモート接続を切断するか否かをローカルなユーザに選択させる。図６を参照して、ローカルなユーザによって「はい」キー４０４が操作されると（ステップＳ１０７０においてＹＥＳ）、画像形成装置１００は、リモート接続を切断する（ステップＳ１０４０）。その後、ログイン後の画面が操作パネル１２２に表示される（ステップＳ１０８０）。ローカルなユーザは、他人に知られたくない情報を操作画面に表示できる。一方、ローカルなユーザによって「いいえ」キー４０６が操作されると（ステップＳ１０７０においてＮＯ）、画像形成装置１００は、リモート接続を維持した状態で操作パネル１２２にログイン後の画面を表示する（ステップＳ１０８０）。
【００７１】
遠隔操作装置２００を操作するリモートユーザが、リモート接続が切断された後に、再度、リモート接続を確立しようとすると、画像形成装置１００は、ログイン状態であっても操作パネル１２２にリモート接続を許可するか否かを問合せる問合せ画面を表示する。例えば、ヘルプデスクの担当者による操作支援の最中であれば、リモート接続を許可することによって、再接続を行なうことができる。これにより、操作支援を継続できる。機密性の高い情報を表示する場合は、リモート接続を許否することにより、再接続による覗き見を防止できる。
【００７２】
［本実施の形態の効果］
以上の説明から明らかなように、本実施の形態に係る画像形成装置１００を利用することにより、以下に述べる効果を奏する。
【００７３】
画像形成装置１００は、ネットワーク５０を介して遠隔操作装置２００と接続される。遠隔操作装置２００との通信が確立されると、画像形成装置１００は、操作パネル１２２に表示されている操作画面を遠隔操作装置２００に送信する。画像形成装置１００は、遠隔操作装置２００とのリモート接続を切断するタイミングを示す切断条件を設定する機能を持つ。画像形成装置１００は、所定のタイミングで、遠隔操作装置２００との通信が確立された状態において、設定された切断条件を満たすか否かを判定する。例えば、ログイン時にリモート接続を切断するよう設定されている場合、ログインを許可したことに応答して、遠隔操作装置２００との通信が確立された状態か否かを判定することにより、遠隔操作装置２００との通信が確立された状態において、設定された切断条件を満たすか否かが判定される。設定された切断条件を満たすと判定されると、画像形成装置１００は遠隔操作装置２００とのリモート接続を切断する。切断条件を設定しておくことで、その切断条件が満たされると遠隔操作装置２００とのリモート接続が切断されるので、その後の操作内容の覗き見を防止できる。これにより、情報の漏洩を防ぐことができる。
【００７４】
（第２の実施の形態）
本実施の形態に係る画像形成装置は、ログアウト時にリモート接続を切断するよう設定することが可能である点において、第１の実施の形態に係る画像形成装置１００とは異なる。その他の点では、各画像形成装置は同一の構成である。
【００７５】
画像形成装置の操作パネルには、図３に示されるリモート接続設定画面３００に代えて、図７に示されるリモート接続設定画面３００Ａが表示される。図７を参照して、リモート接続設定画面３００Ａは、ログアウト時にリモート接続を切断するよう設定する際にチェックが入れられるチェックボックス３１４をさらに含む。チェックボックス３１４にチェックが入れられると、切断条件、すなわちリモート接続を切断するタイミングが「ログアウト時」に設定される。チェックボックス３１４は、チェックボックス３１０又はチェックボックス３１２とともにチェックを入れることが可能である。
【００７６】
ローカルなユーザが画像形成装置にログインしているときに、当該画像形成装置が遠隔操作装置とのリモート接続を確立する場合、ログインユーザによる許可が必要となる。そのため、ログイン中に遠隔操作装置とリモート接続されている場合は、ログインユーザの合意の上での接続となる。しかし、画像形成装置の運用環境によっては、ログインユーザの合意の上でのリモート接続であっても、ログアウト後もそのリモート接続を維持しておくことが好ましくないことがあり得る。例えば、サービスマン、又はサポートセンターの担当者等が操作する外部の遠隔操作装置とのリモート接続は、作業等が終了した後は当該リモート接続を切断するのが好ましい。そのため、本実施の形態に係る画像形成装置では、当該画像形成装置の運用環境に応じて、ログアウト時にリモート接続を切断するか否かが設定される。
【００７７】
［ソフトウェア構成］
図８を参照して、遠隔操作装置による操作内容の覗き見を防止するために、画像形成装置で実行されるコンピュータプログラムの制御構造について説明する。このプログラムは、ローカルなユーザによるログアウト操作（「ログアウト」キーの操作）を検出したことに応じて開始する。
【００７８】
このプログラムは、ローカルなユーザによるログアウト操作に応じてログアウト処理を実行するステップＳ２０００と、ステップＳ２０００の後に実行され、遠隔操作装置との間でリモート接続が確立されているか否かを判定し、判定結果に応じて制御の流れを分岐させるステップＳ２０１０と、ステップＳ２０１０において、リモート接続が確立されていると判定された場合に実行され、ログアウト時にリモート接続を切断するよう設定されているか否かを判定し、判定結果に応じて制御の流れを分岐させるステップＳ２０２０と、ステップＳ２０２０において、ログアウト時にリモート接続を切断するよう設定されていると判定された場合に実行され、リモート接続中の遠隔操作装置がリモート接続を維持する遠隔操作装置として設定されているか否かを判定し、判定結果に応じて制御の流れを分岐させるステップＳ２０３０と、ステップＳ２０３０において、リモート接続中の遠隔操作装置がリモート接続を維持する遠隔操作装置として設定されていないと判定された場合に実行され、接続中のリモート接続を切断するステップＳ２０４０とを含む。
【００７９】
このプログラムはさらに、ステップＳ２０１０において、リモート接続が確立されていないと判定された場合、ステップＳ２０３０において、リモート接続中の遠隔操作装置がリモート接続を維持する遠隔操作装置として設定されていると判定された場合、ステップＳ２０２０において、ログアウト時にリモート接続を切断するよう設定されていないと判定された場合、又はステップＳ２０４０の後に実行され、操作パネルの表示をログアウト後の画面に遷移させてこのプログラムを終了させるステップＳ２０５０を含む。
【００８０】
［動作］
本実施の形態に係る画像形成装置は以下のように動作する。なお、ログアウト操作がされた後の動作を除いた動作は、上記第１の実施の形態と同様である。したがって、同様の動作についての詳細な説明は繰返さない。
【００８１】
ログインユーザによってログアウト操作が行なわれると、画像形成装置はログアウト処理を実行する（ステップＳ２０００）。画像形成装置は、遠隔操作装置とのリモート接続が確立されているか否かを判定する。画像形成装置は、遠隔操作装置とのリモート接続が確立されていないと判定すると（ステップＳ２０１０においてＮＯ）、操作パネルにログアウト後の画面を表示する（ステップＳ２０５０）。一方、遠隔操作装置とのリモート接続が確立されていると判定した場合（ステップＳ２０１０においてＹＥＳ）、画像形成装置は、ログアウト時にリモート接続を切断するよう設定されているか否かを判定する。
【００８２】
図７を参照して、チェックボックス３１４へのチェックによって、ログアウト時にリモート接続を切断するよう設定されていると（ステップＳ２０２０においてＹＥＳ）、画像形成装置は、接続中の遠隔操作装置がリモート接続を維持する遠隔操作装置として設定されているか否かを判定する。接続中の遠隔操作装置がリモート接続を維持する遠隔操作装置として設定されている場合（ステップＳ２０３０においてＹＥＳ）、画像形成装置は、リモート接続を維持した状態で操作パネルにログアウト後の画面を表示する（ステップＳ２０５０）。一方、接続中の遠隔操作装置がリモート接続を維持する遠隔操作装置として設定されていない場合（ステップＳ２０３０においてＮＯ）、画像形成装置は、接続中のリモート接続を切断する（ステップＳ２０４０）。ログアウト時にリモート接続を切断するよう設定されていない場合（ステップＳ２０２０においてＮＯ）、画像形成装置は、リモート接続を維持した状態で操作パネルにログアウト後の画面を表示する（ステップＳ２０５０）。
【００８３】
［作用・効果］
本実施の形態に係る画像形成装置は、第１の実施の形態と同様の効果に加えて、以下に述べる効果をさらに奏する。
【００８４】
画像形成装置は、ログイン状態においてローカルなユーザによるログアウト操作を受付けると、ログアウト処理を実行する。画像形成装置は、ログアウト処理を実行したことに応答して、遠隔操作装置とのリモート接続が確立されているか否かを判定する。ログアウト時にリモート接続を切断するよう設定されていると、遠隔操作装置とのリモート接続が確立されていると判定された場合に、画像形成装置はそのリモート接続を切断する。ただし、接続中の遠隔操作装置がリモート接続を維持する遠隔操作装置として設定されている場合は、当該リモート接続は維持される。このように、本実施の形態に係る画像形成装置は、ログアウト時にリモート接続を切断するか否かを設定できるので、運用環境に応じて、不要なリモート接続を切断できる。
【００８５】
（第３の実施の形態）
図９を参照して、本実施の形態に係る画像形成装置１００Ａは、リモート接続に関する設定をネットワーク５０上のサーバ装置５００から取得する機能をさらに持つ点において、第１の実施の形態に係る画像形成装置１００とは異なる。その他の点では、各画像形成装置は同一の構成である。
【００８６】
本実施の形態に係る情報処理システム３０Ａは、画像形成装置１００Ａ、サーバ装置５００、及び遠隔操作装置２００を含む。遠隔操作装置２００は、第１の実施の形態と同じである。画像形成装置１００Ａは、ネットワーク５０を介して、遠隔操作装置２００及びサーバ装置５００と通信する。サーバ装置５００は、図３に示されるリモート接続設定画面３００と同様の画面を表示して、画像形成装置１００Ａのリモート接続に関する設定を行なうための管理者による操作入力を受付ける。入力された設定の設定情報（設定値）はサーバ装置５００に保持される。サーバ装置５００はさらに、画像形成装置１００Ａからの要求に応じて、保持している設定情報を当該画像形成装置１００Ａに送信する。
【００８７】
画像形成装置１００Ａでは、リモート接続に関する設定に関して、自装置が保持する設定値を用いるか、サーバ装置５００から取得した設定値を用いるかが、ユーザによって予め選択（設定）される。自装置が保持する設定値を用いるよう選択（設定）されている場合、画像形成装置１００Ａは上記第１の実施の形態と同様の動作をする。サーバ装置５００から取得した設定値を用いるよう選択（設定）されている場合、画像形成装置１００Ａは、予め定められたタイミングで、設定情報の送信要求をサーバ装置５００に送信する。本実施の形態では、画像形成装置１００Ａはローカルなユーザのログイン時に設定情報の送信要求をサーバ装置５００に送信する。画像形成装置１００Ａは、送信要求に応答してサーバ装置５００から送信される設定情報を受信すると、受信した設定情報（設定値）を自装置におけるリモート接続の設定に適用する。
【００８８】
［ハードウェア構成］
《画像形成装置１００Ａ》
本実施の形態に係る画像形成装置１００Ａは、第１の実施の形態に係る画像形成装置１００Ａと同様の構成を有する。ただし、画像形成装置１００Ａは、図３に示されるリモート接続設定画面３００に代えて、図１０に示されるリモート接続設定画面３００Ｂが操作パネル１２２に表示される点において、第１の実施の形態とは異なる。
【００８９】
図１０を参照して、リモート接続設定画面３００Ｂは、リモート接続に関する設定値の適用元を選択（設定）するためのプルダウンメニュー３５０と、サーバのＩＰアドレスを入力するアドレス入力欄３５２とをさらに含む。プルダウンメニュー３５０は、設定値の適用元として、ＭＦＰ内部又は外部サーバをユーザに選択させる。アドレス入力欄３５２には、プルダウンメニュー３５０で外部サーバが選択されたときに、通信する外部サーバのＩＰアドレスが入力される。設定値の適用元としてＭＦＰ内部が選択されると、画像形成装置１００Ａは、自装置が保持する設定情報（設定値）をリモート接続の設定に適用するよう設定される。一方、設定値の適用元として外部サーバが選択されると、画像形成装置１００Ａは、アドレス入力欄３５２に入力されたＩＰアドレスのサーバ装置５００から取得した設定情報（設定値）をリモート接続の設定に適用するよう設定される。
【００９０】
《サーバ装置５００》
図１１を参照して、本実施の形態に係る画像形成装置１００Ａと通信するサーバ装置５００は、上述した遠隔操作装置２００と同様の構成を備えるコンピュータである。このようなサーバ装置の構成部品には、いわゆるパーソナルコンピュータの構成部品よりも信頼性の高い部品が使用されている。
【００９１】
サーバ装置５００は、バス５９０と、バス５９０に接続されたＣＰＵ５１０と、バス５９０に接続されたＲＯＭ５２０と、バス５９０に接続されたＲＡＭ５３０と、バス５９０に接続されたＨＤＤ５４０と、バス５９０に接続され、光ディスク５８２が装着可能で、光ディスク５８２に対する情報の書込及び光ディスク５８２からの情報の読出が可能な光ディスクドライブ５８０と、バス５９０に接続され、マウス５５２及びキーボード５５４との間の接続に関するインターフェイスを提供するための入力ＩＦ５５０と、バス５９０に接続され、ディスプレイ５６２との間の接続に関するインターフェイスを提供するためのディスプレイＩＦ５６０と、有線又は無線（本実施の形態においては有線）によりネットワーク５０への接続を提供するネットワークＩＦ５７０と、を含む。
【００９２】
ＨＤＤ５４０は、種々のデータに加えて、リモート接続に関する設定情報（設定値）を記憶する。この設定情報は、管理者による設定入力を受付けると、受付けた設定入力に応じて変更される。サーバ装置５００は、画像形成装置１００Ａからの送信要求に応じて、ＨＤＤ５４０から設定情報を読出して当該画像形成装置１００Ａに送信する。
【００９３】
バス５９０、ＲＯＭ５２０、ＲＡＭ５３０、ＨＤＤ５４０、入力ＩＦ５５０、ディスプレイＩＦ５６０及びネットワークＩＦ５７０は、いずれもＣＰＵ５１０の制御のもとに協調して動作し、本実施の形態に係るサーバ装置としてサーバ装置５００は種々のアプリケーションによる処理を実現する。
【００９４】
［ソフトウェア構成］
本実施の形態に係る画像形成装置１００Ａでは、図５に示されるプログラムに代えて、図１２に示されるプログラムが実行される。図１２のプログラムは、図５のプログラムにおいて、ステップＳ１１００をさらに含む。図１２のステップＳ１０００〜ステップＳ１０８０における処理は、図５に示される各ステップにおける処理と同じである。以下、異なる部分について説明する。
【００９５】
図１２を参照して、このプログラムは、ステップＳ１０００の後に実行され、リモート接続の設定情報（設定値）を取得するステップＳ１１００を含む。ステップＳ１１００の処理が終了すると、制御はステップＳ１０２０に進む。
【００９６】
図１３は、図１２のステップＳ１１００の詳細なフローである。図１３を参照して、このルーチンは、設定値の適用元が外部サーバか否かを判定し、判定結果に応じて制御の流れを分岐させるステップＳ１２００と、ステップＳ１２００において、設定値の適用元が外部サーバであると判定された場合に実行され、アドレス入力欄３５２に入力されたＩＰアドレスを用いてサーバ装置５００と通信するステップＳ１２１０と、ステップＳ１２１０の後に実行され、サーバ装置５００に設定情報の送信要求を送信するステップＳ１２２０と、ステップＳ１２２０の後に実行され、送信要求に応じてサーバ装置５００から送信される設定情報を受信したか否かを判定し、設定情報を受信するまで待機するステップＳ１２３０と、ステップＳ１２００において、設定値の適用元が外部サーバではない、すなわち設定値の適用元がＭＦＰ内部であると判定された場合に実行され、内部に保持している設定情報を読出す（取得する）ステップＳ１２４０と、を含む。ステップＳ１２３０において、設定情報を受信したと判定された場合、又はステップＳ１２４０の処理が終了した場合は、このルーチンは終了する。サーバ装置５００から取得した設定情報、又は自装置から読出した設定情報は、リモート接続を切断するか否か等の以降の処理の判定に用いられる。
【００９７】
図１４を参照して、リモート接続に関する設定情報を画像形成装置１００Ａに送信するために、サーバ装置５００で実行されるコンピュータプログラムの制御構造について説明する。このプログラムは、ユーザ（例えば管理者ユーザ）の操作に応じて開始する。
【００９８】
このプログラムは、画像形成装置１００Ａからの送信要求を受信したか否かを判定し、送信要求を受信するまで待機するステップＳ３０００と、ステップＳ３０００において、送信要求を受信したと判定された場合に実行され、ＨＤＤ５４０に保持されている設定情報を読出すステップＳ３０１０と、ステップＳ３０１０の後に実行され、読出した設定情報を要求元の画像形成装置１００Ａに送信し、制御をステップＳ３０００に戻すステップＳ３０２０とを含む。
【００９９】
［動作］
本実施の形態に係る画像形成装置１００Ａは以下のように動作する。なお、サーバ装置５００から設定情報を取得する動作を除いた動作は、上記第１の実施の形態と同様である。したがって、同様の動作についての詳細な説明は繰返さない。
【０１００】
画像形成装置１００Ａの管理者は、サーバ装置５００を操作して、リモート接続に関する設定を行なう。管理者によって設定されたリモート接続に関する設定の設定情報（設定値）は、サーバ装置５００のＨＤＤ５４０に保持される。
【０１０１】
画像形成装置１００Ａでは、管理者によるプルダウンメニュー３５０の操作によって、設定値の適用元として外部サーバが選択され、アドレス入力欄３５２にはサーバ装置５００のＩＰアドレスが入力されているものとする。
【０１０２】
ローカルなユーザが画像形成装置１００Ａを利用するために、当該ユーザが画像形成装置１００Ａにログインすると（図１２に示すステップＳ１０００）、画像形成装置１００Ａは、設定値の適用元が外部サーバか否かを判定する。設定値の適用元に外部サーバが選択されているため、画像形成装置１００Ａは、設定値の適用元が外部サーバであると判定する（図１３に示すステップＳ１２００においてＹＥＳ）。画像形成装置１００Ａは、アドレス入力欄３５２に入力されているＩＰアドレスを用いてサーバ装置５００と通信し（ステップＳ１２１０）、サーバ装置５００に設定情報の送信要求を送信する（ステップＳ１２２０）。
【０１０３】
サーバ装置５００は、画像形成装置１００Ａからの送信要求を受信すると（図１４に示すステップＳ３０００においてＹＥＳ）、ＨＤＤ５４０から設定情報を読出し（ステップＳ３０１０）、読出した設定情報を、送信要求を送信してきた画像形成装置１００Ａに送信する（ステップＳ３０２０）。
【０１０４】
画像形成装置１００Ａは、サーバ装置５００から送信された設定情報を受信すると（図１３に示すステップＳ１２３０においてＹＥＳ）、リモート接続設定画面３００Ｂを介して設定された設定値に代えて、受信した設定情報（設定値）をリモート接続の設定値に用いる。すなわち、受信した設定情報が指示する設定を自装置の設定とする。
【０１０５】
このように、本実施の形態に係る画像形成装置１００Ａは、ネットワーク５０上のサーバ装置５００から設定情報を取得して自装置の設定とすることが可能に構成されている。そのため、画像形成装置１００Ａにおけるリモート接続に関する設定を、外部のサーバ装置５００で管理できる。画像形成装置１００Ａが複数台ある場合でも、複数台の画像形成装置１００Ａのリモート接続に関する設定を、サーバ装置５００で一括管理できる。これにより、複数台の画像形成装置１００Ａについて１台ずつリモート接続に関する設定を行なう手間を省くことができる。
【０１０６】
（第４の実施の形態）
図１５を参照して、本実施の形態に係る画像形成装置１００Ｂは、サーバ装置６００から配信される設定情報を受信して、リモート接続に関する設定を変更する点において、第１の実施の形態に係る画像形成装置１００とは異なる。その他の点では、各画像形成装置は同一の構成である。
【０１０７】
本実施の形態に係る情報処理システム３０Ｂは、画像形成装置１００Ｂ、サーバ装置６００、及び遠隔操作装置２００を含む。遠隔操作装置２００は、第１の実施の形態と同じである。画像形成装置１００Ｂは、ネットワーク５０を介して、遠隔操作装置２００及びサーバ装置６００と通信する。サーバ装置６００は、画像形成装置１００Ｂのアドレス情報を保持している。サーバ装置６００は、図３に示されるリモート接続設定画面３００と同様の画面を表示して、画像形成装置１００Ｂのリモート接続に関する設定を行なうための管理者による操作入力を受付ける。入力された設定の設定情報（設定値）はサーバ装置６００に保持される。サーバ装置６００はさらに、管理者の操作に応じて、設定情報を配信する日時を設定する。管理者の操作に応じて、又は設定した日時になると、サーバ装置６００は保持している設定情報を画像形成装置１００Ｂに配信（送信）する。
【０１０８】
画像形成装置１００Ｂは、サーバ装置６００から配信される設定情報を受信すると、受信した設定情報に基づいて、リモート接続に関する設定を変更（更新）する。
【０１０９】
（変形例）
上記実施の形態では、画像形成装置の一例である複合機（ＭＦＰ）に本発明を適用した例について示したが、本発明はそのような実施の形態には限定されない。画像形成装置は、複合機以外の例えばプリンタ、ファクシミリ装置等であってもよい。さらに、画像形成装置以外の情報処理装置に本発明を適用することもできる。この場合、複数のユーザが利用する情報処理装置に本発明が適用されるとより好ましい。
【０１１０】
上記実施の形態では、パーソナルコンピュータからなる遠隔操作装置を用いて画像形成装置を遠隔操作する例について示したが、本発明はそのような実施の形態には限定されない。遠隔操作装置はパーソナルコンピュータ以外の装置であってもよい。パーソナルコンピュータ以外の装置としては、例えばタブレット端末、スマートフォン等の携帯情報端末が挙げられる。
【０１１１】
上記実施の形態では、カード読取部が読取った認証用カードの情報を用いてユーザ認証を行なう例について示したが、本発明はそのような実施の形態には限定されない。認証用カードを用いる方法以外に、例えばＩＤ及びパスワード等を入力する方法、生体認証等の他の認証方法を用いてユーザ認証を行なうようにしてもよい。
【０１１２】
上記実施の形態では、ユーザ認証機能を利用する画像形成装置に本発明を適用した例について示したが、本発明はそのような実施の形態には限定されない。ユーザ認証機能を利用しない画像形成装置に本発明を適用することもできる。例えばコンビニエンスストア等の店舗に設置されている、不特定多数のユーザが利用する画像形成装置に本発明を適用することもできる。こうした画像形成装置には、通常、自装置に対する操作指示がない状態で一定時間が経過すると、ジョブ設定内容等をデフォルト状態に戻すオートクリア機能が設けられている。オートクリアが実行されるタイミングは、前のユーザが操作を終了した後であり、かつ、次のユーザが操作を開始する前である。そのため、オートクリアが実行されるタイミングを、リモート接続を切断するタイミングに利用できる。すなわち、ユーザ認証機能を利用しない画像形成装置では、オートクリアのタイミングでリモート接続を切断するよう設定できる。これにより、ユーザ認証機能を利用しない画像形成装置においても、遠隔操作装置による覗き見を効果的に防止できる。
【０１１３】
上記実施の形態では、画像形成装置へのログイン時に、リモート接続を切断するか否かを問合せるダイアログボックスを表示する例について示したが、本発明はそのような実施の形態には限定されない。例えば、ログアウト時に、リモート接続を切断するか否かを問合せるダイアログボックスを表示するようにしてもよい。
【０１１４】
上記実施の形態では、リモート接続中であっても画像形成装置へのローカルログインを許可する例について示したが、本発明はそのような実施の形態には限定されない。リモート接続中は画像形成装置へのローカルログインを禁止するよう当該画像形成装置が構成されていてもよい。例えば、リモート接続中にローカルログインのための操作を行なうと、「現在リモートでログイン中」という表示を行ない、ユーザによる画像形成装置へのローカルログインを禁止するようにしてもよい。さらに、例えば、「リモート接続を切断してログイン」のような形でログイン操作を行なうように画像形成装置が構成されていてもよい。
【０１１５】
上記第３の実施の形態は、上記第１の実施の形態に適用されたが、本発明はそのような実施の形態には限定されない。上記第３の実施の形態は、上記第２の実施の形態に適用されてもよい。さらに、サーバ装置から設定情報を取得するタイミングは、ログイン時、又はログアウト時以外であってもよい。例えば、遠隔操作装置から画像形成装置にリモート接続の要求がなされたときに、当該画像形成装置がサーバ装置から設定情報を取得するようにしてもよい。さらに、所定の間隔で、定期的にサーバ装置から設定情報を取得するよう画像形成装置が構成されていてもよい。
【０１１６】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１１７】
５０                            ネットワーク
３０、３０Ａ、３０Ｂ            情報処理システム
１００、１００Ａ、１００Ｂ      画像形成装置
１１０                          制御部
１１２                          ＣＰＵ
１１４                          ＲＯＭ
１１６                          ＲＡＭ
１１８                          記憶装置
１２０                          操作ユニット
１２２                          操作パネル
１３０                          原稿読取部
１４０                          画像処理部
１５０                          画像形成部
１７０                          ユーザ認証装置
１８０                          ＮＩＣ
２００                          遠隔操作装置
３００、３００Ａ、３００Ｂ      リモート接続設定画面
４００                          ダイアログボックス
５００、６００                  サーバ装置
【図１】
0006457818.tif 000002
【図２】
0006457818.tif 000003
【図３】
0006457818.tif 000004
【図４】
0006457818.tif 000005
【図５】
0006457818.tif 000006
【図６】
0006457818.tif 000007
【図７】
0006457818.tif 000008
【図８】
0006457818.tif 000009
【図９】
0006457818.tif 000010
【図１０】
0006457818.tif 000011
【図１１】
0006457818.tif 000012
【図１２】
0006457818.tif 000013
【図１３】
0006457818.tif 000014
【図１４】
0006457818.tif 000015
【図１５】
0006457818.tif 000016